(57)【要約】【課題】ＲＦ信号のＤＳＶが零でない場合に、再生信号品質を劣化させることなく光ディスクに記録された情報を再生する。【解決手段】光ディスク再生装置１００は、光ピックアップ６と、波形等化回路５と、波形等化回路５によって等化されたＲＦ信号を２値化信号に変換するために、等化されたＲＦ信号をスライスレベルと比較するコンパレータ４と、２値化信号に基づいてビットクロックを生成するＰＬＬ回路３と、コンパレータ４から出力された２値化信号とＰＬＬ回路３によって生成されたビットクロックとに基づいてビットクロックに対する２値化信号の位相差を表す位相差信号を生成する位相差検出回路２と、位相差検出回路２によって生成された位相差信号に基づいて、コンパレータ４へ供給されるスライスレベルを調整するスライスレベル調整回路１とを具備することを特徴とする。【選択図】　図１
2004030801.tif 000002
【特許請求の範囲】
【請求項１】
光ディスクに記録された情報を読み取るために前記光ディスクに照射され前記光ディスクによって反射された光ビームをＲＦ信号に変換する光ピックアップと、
前記ＲＦ信号の波形を等化する波形等化手段と、
前記波形等化手段によって等化された前記ＲＦ信号を２値化信号に変換するために、前記等化されたＲＦ信号をスライスレベルと比較する比較手段と、
前記２値化信号に基づいてビットクロックを生成するＰＬＬ手段と、
前記比較手段から出力された前記２値化信号と前記ＰＬＬ手段によって生成された前記ビットクロックとに基づいて前記ビットクロックに対する前記２値化信号の位相差を表す位相差信号を生成する位相差検出手段と、
前記位相差検出手段によって生成された前記位相差信号に基づいて、前記比較手段へ供給される前記スライスレベルを調整するスライスレベル調整手段とを具備することを特徴とする光ディスク再生装置。
【請求項２】
前記位相差信号は、前記２値化信号の立ち上がりエッジに関連する第１パルスと前記２値化信号の立下りエッジに関連する第２パルスとを有しており、
前記スライスレベル調整手段は、前記第１パルスと前記第２パルスとに基づいて前記スライスレベルを調整する、請求項１記載の光ディスク再生装置。
【請求項３】
前記スライスレベル調整手段は、前記第１パルスのパルス幅が前記第２パルスのパルス幅よりも広い間は前記スライスレベルを上げるように調整し、前記第１パルスのパルス幅が前記第２パルスのパルス幅よりも狭い間は前記スライスレベルを下げるように調整する、請求項２記載の光ディスク再生装置。
【請求項４】
前記位相差信号は、前記ビットクロックの位相に対する前記２値化信号の位相の遅れ量または進み量に対応したパルス幅を有するパルス信号である、請求項１記載の光ディスク再生装置。
【請求項５】
前記スライスレベル調整手段は、前記比較手段へ供給される前記スライスレベルを決定するために、前記２値化信号の立ち上がりエッジに応答して所定のコンデンサへ電荷をチャージし、前記２値化信号の立ち下がりエッジに応答して前記所定のコンデンサから前記電荷をディスチャージするチャージポンプ手段と、
前記チャージポンプ手段が前記所定のコンデンサへ前記電荷をチャージするためのチャージ電流量と前記所定のコンデンサから前記電荷をディスチャージするためのディスチャージ電流量との間のバランスを調整する電流バランス調整手段とを有している、請求項１記載の光ディスク再生装置。
【請求項６】
前記電流バランス調整手段は、前記位相差検出手段によって検出された前記位相差信号に基づいて、前記チャージ電流量と前記ディスチャージ電流量との間のバランスを調整する、請求項５記載の光ディスク再生装置。
【請求項７】
前記電流バランス調整手段は、前記位相差検出手段によって生成された前記位相差信号に基づいて動作するカウンタと、
前記カウンタの値に基づいて前記チャージ電流量と前記ディスチャージ電流量との間のバランスを調整するために設けられたレジスタとを有している、請求項５記載の光ディスク再生装置。
【請求項８】
前記スライスレベル調整手段は、前記光ディスクに記録された前記情報を再生するための再生速度に応じて前記チャージ電流量と前記ディスチャージ電流量とを調整する電流量調整手段をさらに有している、請求項５記載の光ディスク再生装置。
【請求項９】
前記電流バランス調整手段は、前記チャージ電流量と前記ディスチャージ電流量との間の前記バランスが予め定められた範囲外になったときは、前記チャージ電流量と前記ディスチャージ電流量とを初期値に戻す、請求項５記載の光ディスク再生装置。
【請求項１０】
前記位相差信号は、前記２値化信号の立ち上がりエッジに関連する第１パルスと前記２値化信号の立下がりエッジに関連する第２パルスとを有しており、
前記電流バランス調整手段は、前記第１パルスのパルス幅が前記第２パルスのパルス幅よりも広い間は、前記チャージ電流量の前記ディスチャージ電流量に対する割合を増加させるように前記バランスを調整し、前記第１パルスのパルス幅が前記第２パルスのパルス幅よりも狭い間は、前記チャージ電流量の前記ディスチャージ電流量に対する割合を減少させるように前記バランスを調整する、請求項５記載の光ディスク再生装置。
【請求項１１】
光ディスクに記録された情報を読み取るために前記光ディスクに照射され、前記光ディスクによって反射された光ビームをＲＦ信号に変換する光ピックアップによって変換された前記ＲＦ信号の波形を等化する波形等化手段と、
前記波形等化手段によって等化された前記ＲＦ信号を２値化信号に変換するために、前記等化されたＲＦ信号をスライスレベルと比較する比較手段と、
前記２値化信号に基づいてビットクロックを生成するＰＬＬ手段と、
前記比較手段から出力された前記２値化信号と前記ＰＬＬ手段によって生成された前記ビットクロックとに基づいて前記ビットクロックに対する前記２値化信号の位相差を表す位相差信号を生成する位相差検出手段と、
前記位相差検出手段によって生成された前記位相差信号に基づいて、前記比較手段へ供給される前記スライスレベルを調整するスライスレベル調整手段とを具備することを特徴とする光ディスク再生装置用半導体。
【発明の詳細な説明】
【０００１】
【発明の属する技術分野】
本発明は、光ディスクに記録されている情報を再生する光ディスク再生装置および光ディスク再生装置用半導体に関するものである。
【０００２】
【従来の技術】
近年、記録型光ディスクとしてＣＤ−Ｒ（ＣＤ−Ｒｅｃｏｒｄａｂｌｅ）、ＣＤ−ＲＷ（ＣＤ−ＲｅＷｒｉｔａｂｌｅ）、大容量記録媒体の光ディスクとして、ＤＶＤ（Ｄｉｇｉｔａｌ　Ｖｅｒｓａｔｉｌｅ　Ｄｉｓｃ）が開発され、このような光ディスクに情報を記録し、記録された情報を再生する技術が開発されている。
【０００３】
図８は、従来の光ディスク再生装置９０のブロック図である。光ディスク再生装置９０は、光ディスク２７を回転させるためのスピンドルモータ２９を備えている。光ディスク再生装置９０には、光ピックアップ６が設けられている。光ピックアップ６は、光ディスク２７に記録された情報を読み取るために光ディスク２７に照射され光ディスク２７によって反射された光ビームをＲＦ信号に変換する。
【０００４】
光ディスク再生装置９０は、データ再生回路９４を備えている。データ再生回路９４は、波形等化回路５を有している。波形等化回路５は、光ピックアップ６によって変換されたＲＦ信号の振幅のゲインを調整し、ＲＦ信号の波形を等化して、データ再生回路９４に設けられたデータスライサ９１へ出力する。
【０００５】
図９は、従来の光ディスク再生装置９０に設けられたデータスライサ９１を説明するためのブロック図である。データスライサ９１は、コンパレータ４を有している。コンパレータ４は、波形等化回路５によって波形を等化されたＲＦ信号を所定のスライスレベルと比較して、２値化信号をＰＬＬ回路３およびデータスライサ９１に設けられたチャージポンプ回路９２へ出力する。
【０００６】
図１０は、チャージポンプ回路９２を説明するためのブロック図である。チャージポンプ回路９２は、コンパレータ４へ供給するスライスレベルを決定するために、コンパレータ４から出力された２値化信号の立ち上がりエッジ（以下「アップ信号」ともいう）に応じてコンデンサ１２へ電荷をチャージし、２値化信号の立ち下がりエッジ（以下「ダウン信号」ともいう）に応じてコンデンサ１２にチャージされた電荷をディスチャージする。
【０００７】
データスライサ９１には、ローパスフィルタ３３が設けられている。ローパスフィルタ３３は、チャージポンプ回路９２から出力される信号に含まれる高周波領域における不要な成分をカットする。
【０００８】
ＰＬＬ回路３は、データスライサ９１から出力された２値化信号に基づいてビットクロックを生成し、生成したビットクロックによって２値化信号のエッジを検出する。光ディスク再生装置９０には、復調回路３０が設けられている。復調回路３０は、ＰＬＬ回路３によって検出された２値化信号のエッジに基づいて、光ディスク２７に記録された情報を復調し、再生する。
【０００９】
コンパレータ４に供給されるスライスレベルは、ＲＦ信号のＤＳＶ（Ｄｉｇｉｔａｌ　Ｓｕｍ　Ｖａｌｕｅ）が零となる場合には、すなわちアップ信号とダウン信号との出現割合が同一の場合には、定常的に最適なスライスレベルに制御される。このような制御方式を以下、デューティフィードバック制御方式と呼ぶ。
【００１０】
しかしながら、ＤＶＤの規格上、ＲＦ信号のＤＳＶが一時的に零とならないパターンが発生する場合がある。ＲＦ信号のＤＳＶが零にならないと、デューティフィードバック制御方式では、ＲＦ信号を２値化するためのスライスレベルが高い方、あるいは低い方に発散するために、ＲＦ信号を正しく２値化することが出来ないという問題がある。
【００１１】
また、書き込み型光ディスク媒体への記録の方法によっては、記録された高周波帯域信号（３Ｔ）と低周波帯域信号（１４Ｔ）との間で記録状態が異なるために、ＲＦ信号のＤＣレベルに段差が生じ、いわゆるアシンメトリを有するＲＦ信号が発生する場合がある。このようなアシンメトリを有するＲＦ信号をデューティフィードバック制御方式によって２値化すると、スライスレベルは高周波帯域信号（３Ｔ）の最適スライスレベルと低周波帯域信号（１４Ｔ）の最適スライスレベルとの間で動作するように制御されるため、全体として再生された信号の信号品質は劣化するという問題がある。
【００１２】
このような問題を解決するための従来の技術として、特開２０００−１９５０５７号公報には、ＰＬＬによって検出された２値化信号とビットクロックとの間の位相差量が規定値以上の位相差量になった場合に、コンパレータ４へ供給されるスライスレベルをリセットし、初期値に戻す構成が開示されている。
【００１３】
図１１は、従来の他の光ディスク再生装置に設けられたデータスライサ９１Ａを説明するためのブロック図である。データスライサ９１Ａは、コンパレータ４を有している。コンパレータ４は、波形等化回路によって波形を等化されたＲＦ信号を所定のスライスレベルと比較して、２値化信号をＰＬＬ回路３およびデータスライサ９１Ａに設けられたチャージポンプ回路９２へ出力する。チャージポンプ回路９２は、コンパレータ４へ供給するスライスレベルを決定するために、コンパレータ４から出力された２値化信号の立ち上がりエッジ（アップ信号）に応じてコンデンサ１２へ電荷をチャージし、２値化信号の立ち下がりエッジ（ダウン信号）に応じてコンデンサ１２にチャージされた電荷をディスチャージする。データスライサ９１Ａには、ローパスフィルタ３３が設けられている。ローパスフィルタ３３は、チャージポンプ回路９２から出力される信号に含まれる高周波領域における不要な成分をカットする。
【００１４】
ＰＬＬ回路３は、コンパレータ４から出力された２値化信号に基づいてビットクロックを生成して位相差検出回路９３へ出力する。位相差検出回路９３は、コンパレータ４から出力された２値化信号とＰＬＬ回路３から出力されたビットクロックとの間の位相差量を検出する。
【００１５】
チャージポンプ回路９２とコンデンサ１２との間には、スイッチＳＷ１６が設けられている。コンデンサ１２に対して並列にスイッチＳＷ１７が設けられている。位相差検出回路９３によって検出された位相差量が予め設定された規定値以上になると、スイッチＳＷ１７がオンになり、スイッチＳＷ１６がオフになり、コンパレータ４へ供給されるスライスレベルがリセットされ、初期値に戻るように構成されている。
【００１６】
【発明が解決しようとする課題】
しかしながら、図１１を参照して前述した構成においては、コンパレータ４から出力された２値化信号とＰＬＬ３によって生成されたビットクロックとの間の位相差量が任意の設定値以上にならないとスライスレベルがリセットされない。従って、ＲＦ信号のＤＳＶが零でない場合に、コンパレータ４から出力された２値化信号とＰＬＬ３によって生成されたビットクロックとの間の位相差量が任意の設定値以内であると、２値化信号の再生信号品質が劣化し、再生能力が低下するという問題がある。
【００１７】
本発明の目的は、ＲＦ信号のＤＳＶが零でない場合に、２値化信号とビットクロックとの間の位相差量が任意の設定値以内であっても、再生信号品質を劣化させることなく光ディスクに記録された情報を再生することの出来る光ディスク再生装置および光ディスク再生装置用半導体を提供することにある。
【００１８】
本発明の他の目的は、アシンメトリのあるデータの再生信号品質を向上させることの出来る光ディスク再生装置および光ディスク再生装置用半導体を提供することにある。
【００１９】
【課題を解決するための手段】
本発明に係る光ディスク再生装置は、光ディスクに記録された情報を読み取るために前記光ディスクに照射され前記光ディスクによって反射された光ビームをＲＦ信号に変換する光ピックアップと、前記ＲＦ信号の波形を等化する波形等化手段と、前記波形等化手段によって等化された前記ＲＦ信号を２値化信号に変換するために、前記等化されたＲＦ信号をスライスレベルと比較する比較手段と、前記２値化信号に基づいてビットクロックを生成するＰＬＬ手段と、前記比較手段から出力された前記２値化信号と前記ＰＬＬ手段によって生成された前記ビットクロックとに基づいて前記ビットクロックに対する前記２値化信号の位相差を表す位相差信号を生成する位相差検出手段と、前記位相差検出手段によって生成された前記位相差信号に基づいて、前記比較手段へ供給される前記スライスレベルを調整するスライスレベル調整手段とを具備することを特徴とする。
【００２０】
本発明に係る光ディスク再生装置用半導体は、光ディスクに記録された情報を読み取るために前記光ディスクに照射され、前記光ディスクによって反射された光ビームをＲＦ信号に変換する光ピックアップによって変換された前記ＲＦ信号の波形を等化する波形等化手段と、前記波形等化手段によって等化された前記ＲＦ信号を２値化信号に変換するために、前記等化されたＲＦ信号をスライスレベルと比較する比較手段と、前記２値化信号に基づいてビットクロックを生成するＰＬＬ手段と、前記比較手段から出力された前記２値化信号と前記ＰＬＬ手段によって生成された前記ビットクロックとに基づいて前記ビットクロックに対する前記２値化信号の位相差を表す位相差信号を生成する位相差検出手段と、前記位相差検出手段によって生成された前記位相差信号に基づいて、前記比較手段へ供給される前記スライスレベルを調整するスライスレベル調整手段とを具備することを特徴とする。
【００２１】
【発明の実施の形態】
本発明に係る光ディスク再生装置においては、比較手段がＲＦ信号を２値化信号に変換するためにＲＦ信号と比較するスライスレベルが、ビットクロックに対する２値化信号の位相差を表す位相差信号に基づいて調整される。このため、ＲＦ信号のＤＳＶが零でないときにも再生信号の品質が良好な光ディスク再生装置を提供することができる。
【００２２】
前記位相差信号は、前記２値化信号の立ち上がりエッジに関連する第１パルスと前記２値化信号の立下りエッジに関連する第２パルスとを有しており、前記スライスレベル調整手段は、前記第１パルスと前記第２パルスとに基づいて前記スライスレベルを調整することが好ましい。
【００２３】
前記スライスレベル調整手段は、前記第１パルスのパルス幅が前記第２パルスのパルス幅よりも広い間は前記スライスレベルを上げるように調整し、前記第１パルスのパルス幅が前記第２パルスのパルス幅よりも狭い間は前記スライスレベルを下げるように調整することが好ましい。
【００２４】
前記位相差信号は、前記ビットクロックの位相に対する前記２値化信号の位相の遅れ量または進み量に対応したパルス幅を有するパルス信号であることが好ましい。
【００２５】
前記スライスレベル調整手段は、前記比較手段へ供給される前記スライスレベルを決定するために、前記２値化信号の立ち上がりエッジに応答して所定のコンデンサへ電荷をチャージし、前記２値化信号の立ち下がりエッジに応答して前記所定のコンデンサから前記電荷をディスチャージするチャージポンプ手段と、前記チャージポンプ手段が前記所定のコンデンサへ前記電荷をチャージするためのチャージ電流量と前記所定のコンデンサから前記電荷をディスチャージするためのディスチャージ電流量との間のバランスを調整する電流バランス調整手段とを有していることが好ましい。
【００２６】
前記電流バランス調整手段は、前記位相差検出手段によって検出された前記位相差信号に基づいて、前記チャージ電流量と前記ディスチャージ電流量との間のバランスを調整することが好ましい。
【００２７】
前記電流バランス調整手段は、前記位相差検出手段によって生成された前記位相差信号に基づいて動作するカウンタと、前記カウンタの値に基づいて前記チャージ電流量と前記ディスチャージ電流量との間のバランスを調整するために設けられたレジスタとを有していることが好ましい。
【００２８】
前記スライスレベル調整手段は、前記光ディスクに記録された前記情報を再生するための再生速度に応じて前記チャージ電流量と前記ディスチャージ電流量とを調整する電流量調整手段をさらに有していることが好ましい。
【００２９】
前記電流バランス調整手段は、前記チャージ電流量と前記ディスチャージ電流量との間の前記バランスが予め定められた範囲外になったときは、前記チャージ電流量と前記ディスチャージ電流量とを初期値に戻すことが好ましい。
【００３０】
前記位相差信号は、前記２値化信号の立ち上がりエッジに関連する第１パルスと前記２値化信号の立下がりエッジに関連する第２パルスとを有しており、前記電流バランス調整手段は、前記第１パルスのパルス幅が前記第２パルスのパルス幅よりも広い間は、前記チャージ電流量の前記ディスチャージ電流量に対する割合を増加させるように前記バランスを調整し、前記第１パルスのパルス幅が前記第２パルスのパルス幅よりも狭い間は、前記チャージ電流量の前記ディスチャージ電流量に対する割合を減少させるように前記バランスを調整することが好ましい。
【００３１】
以下、図面を参照して本発明の実施の形態を説明する。
【００３２】
図１は、実施の形態に係る光ディスク再生装置１００のブロック図である。光ディスク再生装置１００は、光ディスク２７を回転させるためのスピンドルモータ２９を備えている。光ディスク再生装置１００には、光ピックアップ６が設けられている。光ピックアップ６は、光ディスク２７に記録された情報を読み取るために光ディスク２７に照射され光ディスク２７によって反射された光ビームをＲＦ信号に変換する。
【００３３】
光ディスク再生装置１００は、データ再生回路４０を備えている。データ再生回路４０は、波形等化回路５を有している。波形等化回路５は、光ピックアップ６によって変換されたＲＦ信号の振幅のゲインを調整し、ＲＦ信号の波形を等化して、データ再生回路４０に設けられたデータスライサ３１へ出力する。
【００３４】
図２は、データスライサ３１を説明するためのブロック図である。データスライサ３１は、コンパレータ４を有している。コンパレータ４は、波形等化回路５によって波形を等化されたＲＦ信号を所定のスライスレベルと比較して、２値化信号をＰＬＬ回路３およびデータスライサ３１のスライスレベル調整回路１に設けられたチャージポンプ回路３２へ出力する。
【００３５】
図３は、光ディスク再生装置１００に設けられたスライスレベル調整回路１を説明するためのブロック図である。チャージポンプ回路３２は、チャージ電流源２０とディスチャージ電流源２１とを有している。チャージ電流源２０は、コンパレータ４から出力された２値化信号の立ち上がりエッジ（アップ信号）に応じてコンデンサ１２へ電荷をチャージする。ディスチャージ電流源２１は、２値化信号の立ち下がりエッジ（ダウン信号）に応じてコンデンサ１２にチャージされた電荷をディスチャージする。
【００３６】
スライスレベル調整回路１は、電流バランス調整回路２４を有している。電流バランス調整回路２４には、カウンタ２６が設けられている。カウンタ２６は、後述する位相差検出回路２によって検出された位相差信号に基づいて動作する。スライスレベル調整回路１は、カウンタ２６と位相差検出回路２との間に設けられたスイッチＳＷ２７を有している。電流バランス調整回路２４には、レジスタ２５が設けられている。レジスタ２５は、ＣＰＵ４１からの指示に応じて環境温度および個体間の電流量のばらつきを吸収するために、カウンタ２６のリアルタイム値に基づいて、チャージ電流源２０がコンデンサ１２へ電荷をチャージするためのチャージ電流量とディスチャージ電流源２１がコンデンサ１２にチャージされた電荷をディスチャージするためのディスチャージ電流量との間のバランスを離散的に調整する。
【００３７】
スライスレベル調整回路１は、電流量調整回路２８を有している。電流量調整回路２８は、光ディスク２７に記録された情報を再生するための再生速度に応じてスライスレベルの応答性を変更するために、ＣＰＵ４１からの指示に応じて、チャージ電流源２０がコンデンサ１２へ電荷をチャージするためのチャージ電流量とディスチャージ電流源２１がコンデンサ１２にチャージされた電荷をディスチャージするためのディスチャージ電流量とを離散的に調整する。
【００３８】
スライスレベル調整回路１には、ローパスフィルタ３３が設けられている。ローパスフィルタ３３は、チャージポンプ回路３２から出力される信号に含まれる高周波領域における不要な成分をカットする。
【００３９】
図４は、ＰＬＬ回路３を説明するためのブロック図である。ＰＬＬ回路３は、位相比較器３５を有している。位相比較器３５は、データスライサ３１に設けられたコンパレータ４から出力された２値化信号の位相とＶＣＯ（ＶｏｌｔａｇｅＣｏｎｔｒｏｌ　Ｏｓｃｉｌｌａｔｏｒ）３７から出力されたビットクロックの位相とを比較して、比較結果をチャージポンプ回路３６へ出力する。チャージポンプ回路３６は、ビットクロックの位相に対する２値化信号の位相が進んでいるときはコンデンサ３８へ電荷をチャージし、ビットクロックの位相に対する２値化信号の位相が送れているときはコンデンサ３８にチャージされた電荷をディスチャージする。ＶＣＯ３７は、チャージポンプ回路３６から出力される電圧値に応じた周波数を有する信号をビットクロックとして出力する。
【００４０】
位相差検出回路２は、データスライサ３１に設けられたコンパレータ４から出力された２値化信号の位相に対するビットクロックの位相の位相差を表す位相差信号を生成する。
【００４１】
光ディスク再生装置１００には、復調回路３０が設けられている。復調回路３０は、ＰＬＬ回路３によって検出された２値化信号のエッジに基づいて、光ディスク２７に記録された情報を復調し、再生する。
【００４２】
このように構成された光ディスク再生装置１００の動作を説明する。図５はＰＬＬ回路３において生成される各種パルス信号を説明するための波形図である。
【００４３】
図５を参照すると、ＰＬＬ回路３では、データスライサ３１に設けられたコンパレータ４から出力された２値化信号の位相とビットクロックの位相とを比較する位相比較器３５によって位相の遅れ量あるいは進み量を検出し、検出した位相の遅れ量あるいは進み量に対応したパルス幅の信号が生成される。前記位相遅れ量あるいは進み量に対応したパルス幅の信号を用い２値化信号に対してビットクロックの位相が進んでいる場合には図４に示すチャージポンプ回路３６によってコンデンサ３８に蓄えられている電荷がディスチャージされ、位相が遅れている場合には図４に示すチャージポンプ回路３６によってコンデンサ３８に電荷がチャージされる。図４に示すＰＬＬ３に設けられたチャージポンプ回路３６のチャージ動作およびディスチャージ動作によって決定される電圧値は、図４に示すＶＣＯ３７に入力され、入力された電圧値に応じた周波数のビットクロックをＶＣＯ３７が出力し、出力されたビットクロックは、位相比較器３５にフィードバックされる。
【００４４】
図５に示すＰＬＬ３の定常的な状態を示す期間Ｔ１の間は、２値化信号の位相とビットクロックの位相とが一致した安定な状態であるため、図５に示すアップ信号４２のパルス幅とダウン信号４３のパルス幅とが等しい状態で安定する。
【００４５】
ビットクロックの位相が２値化信号の位相よりも進んでいる期間Ｔ２の間は、アップ信号４２のパルス幅はダウン信号４３のパルス幅よりも狭くなる。ビットクロックの位相が２値化信号の位相よりも送れている期間Ｔ３の間は、アップ信号４２のパルス幅はダウン信号４３のパルス幅よりも広くなる。
【００４６】
２値化信号に対するビットクロックの位相差量を電流バランス調整回路２４へフィードバックするためにスイッチＳＷ２７がオンにされると、図５に示すアップ信号４２が位相差信号として、電流バランス調整回路２４に設けられたカウンタ２６に与えられる。アップ信号４２は、２値化信号の立ち上がりエッジに応じてハイレベルになり、その後のビットクロックの立ち上がりエッジに応じてローレベルになる。アップ信号４２はまた、２値化信号の立ち下がりエッジに応じてハイレベルになり、その後のビットクロックの立ち上がりエッジに応じてローレベルになる。アップ信号４２が与えられたカウンタ２６の値は、リアルタイムでレジスタ２５に書き込まれる。
【００４７】
図６は位相差検出回路２において生成される位相差検出信号を説明するための図である。データスライサ３１に設けられたコンパレータ４がスライスレベル１０ＡによってＲＦ信号８を２値化すると、デューティが５０％の２値化信号９Ａが生成される。コンパレータ４によって生成された２値化信号９ＡとＰＬＬ回路３によって生成されたビットクロック３９とに基づいて位相差検出回路２によって生成された位相差検出信号は、２値化信号９Ａの立ち上がりエッジに応じてハイレベルになり、その後のビットクロック３９の立ち上がりエッジに応じてローレベルになるパルス１３Ａと、２値化信号９Ａの立ち下がりエッジに応じてハイレベルになりその後のビットクロックの立ち上がりエッジに応じてローレベルになるパルス１４Ａとを有している。２値化信号９Ａのディーティが５０％であるために、位相差検出回路２によって生成された位相差検出信号のパルス１３Ａのパルス幅とパルス１４Ａのパルス幅とは互いに等しくなっている。パルス１３Ａおよびパルス１４Ａを有する位相差検出信号は、スイッチＳＷ２７を介して、電流バランス調整回路２４に設けられたカウンタ２６へ入力される。カウンタ２６によってカウントされた値は電流バランス調整回路２４に設けられたレジスタ２５へリアルタイムに書き込まれる。
【００４８】
前述したＤＳＶが零でないＲＦ信号がコンパレータ４へ入力されると、図２に示すデータスライサ３１はデューティフィードバック制御方式をとっているために、光ディスクに記録された情報を正確に反映する最適スライスレベルによってＲＦ信号をコンパレータ４はスライスすることが出来ず、コンパレータ４へ供給されるスライスレベルは、最適スライスレベルから高い方、あるいは低い方へ発散する。その結果高い方へ発散したスライスレベル１０ＢによってＲＦ信号８をスライスすると、コンパレータ４は、５０％よりも大きいデューティを有する２値化信号９Ｂを生成する。２値化信号９Ｂとビットクロック３９とに基づいて位相差検出回路２によって生成された位相差検出信号は、２値化信号９Ｂの立ち上がりエッジに応じてハイレベルになり、その後のビットクロック３９の立ち上がりエッジに応じてローレベルになるパルス１３Ｂと、２値化信号９Ｂの立ち下がりエッジに応じてハイレベルになりその後のビットクロックの立ち上がりエッジに応じてローレベルになるパルス１４Ｂとを有している。２値化信号９Ｂのディーティは５０％よりも大きいために、位相差検出回路２によって生成された位相差検出信号のパルス１３Ｂのパルス幅はパルス１４Ｂのパルス幅よりも狭くなっている。
【００４９】
パルス１３Ｂおよびパルス１４Ｂを有する位相差検出信号は、スイッチＳＷ２７を介して、電流バランス調整回路２４に設けられたカウンタ２６へ入力される。カウンタ２６によってカウントされた値は電流バランス調整回路２４に設けられたレジスタ２５へリアルタイムに書き込まれる。
【００５０】
位相差検出信号のパルス１３Ｂのパルス幅がパルス１４Ｂのパルス幅よりも狭くなっているために、電流バランス調整回路２４は、チャージ電流源２０がコンデンサ１２に電荷をチャージするためのチャージ電流量が、ディスチャージ電流源２１がコンデンサ１２にチャージされた電荷をディスチャージするためのディスチャージ電流量に比べて減少するようにチャージ電流量およびディスチャージ電流量を調整する。
【００５１】
低い方へ発散したスライスレベル１０ＣによってＲＦ信号８をスライスすると、コンパレータ４は、５０％よりも小さいデューティを有する２値化信号９Ｃを生成する。２値化信号９Ｃとビットクロック３９とに基づいて位相差検出回路２によって生成された位相差検出信号は、２値化信号９Ｃの立ち上がりエッジに応じてハイレベルになり、その後のビットクロック３９の立ち上がりエッジに応じてローレベルになるパルス１３Ｃと、２値化信号９Ｃの立ち下がりエッジに応じてハイレベルになりその後のビットクロックの立ち上がりエッジに応じてローレベルになるパルス１４Ｃとを有している。２値化信号９Ｃのディーティは５０％よりも小さいために、位相差検出回路２によって生成された位相差検出信号のパルス１３Ｃのパルス幅はパルス１４Ｃのパルス幅よりも広くなっている。
【００５２】
パルス１３Ｃおよびパルス１４Ｃを有する位相差検出信号は、スイッチＳＷ２７を介して、電流バランス調整回路２４に設けられたカウンタ２６へ入力される。カウンタ２６によってカウントされた値は電流バランス調整回路２４に設けられたレジスタ２５へリアルタイムに書き込まれる。
【００５３】
位相差検出信号のパルス１３Ｃのパルス幅がパルス１４Ｃのパルス幅よりも広くなっているために、電流バランス調整回路２４は、チャージ電流源２０がコンデンサ１２に電荷をチャージするためのチャージ電流量が、ディスチャージ電流源２１がコンデンサ１２にチャージされた電荷をディスチャージするためのディスチャージ電流量に比べて増加するようにチャージ電流量およびディスチャージ電流量を調整する。
【００５４】
このように、スライスレベル調整回路１は、２値化信号の立ち上がりエッジに関連する第１パルスのパルス幅が２値化信号の立下りエッジに関連する第２パルスのパルス幅よりも広い間はスライスレベルを上げるように調整し、第１パルスのパルス幅が第２パルスのパルス幅よりも狭い間はスライスレベルを下げるように調整する。
【００５５】
本実施の形態における光ディスク装置１００においては、例えば、前記ＤＳＶが零のＲＦ信号に対してデータスライサ３１のスライスレベル調整回路１に設けられた電流バランス調整回路２４におけるチャージ電流量とディスチャージ電流量との調整比が１：１の状態において、前述したＤＳＶが零でないＲＦ信号であって、アップ信号とダウン信号との比率が３：５のＲＦ信号がコンパレータ４へ入力された場合には、位相差検出回路２によって検出された位相差検出信号に基づいてこれを検出し、スライスレベル調整回路１に設けられた電流バランス調整回路２０の調整比を５：３と設定することによって、データスライサ３１に設けられたコンパレータ４に供給されるスライスレベルが発散せずに最適なスライスレベルとなるように調整することができる。
【００５６】
スライスレベル調整回路１に設けられた電流バランス調整回路２０の調整比と電流量調整回路２８の調整量とは、ＣＰＵ４１によって互いに独立に設定することができる。高倍速再生時において急激にスライスレベルが変動したときは、図３に示すＣＰＵ４１により、電流量調整回路２８と電流バランス調整回路２０との双方によって応答することができ、２値化信号に対するビットクロックの時間的な揺らぎがもっとも少ない調整量、すなわちジッタが最も良好な調整量に調整することが可能である。
【００５７】
以上のように本実施の形態によれば、波形等化回路５によって等化されたＲＦ信号を２値化信号に変換するために、等化されたＲＦ信号をスライスレベルと比較するコンパレータ４と、２値化信号に基づいてビットクロックを生成するＰＬＬ回路３と、コンパレータ４から出力された２値化信号とＰＬＬ回路３によって生成されたビットクロックとに基づいてビットクロックに対する２値化信号の位相差を表す位相差信号を生成する位相差検出回路２と、位相差検出回路２によって生成された位相差信号に基づいて、コンパレータ４へ供給されるスライスレベルを調整するスライスレベル調整回路１とを具備している。このため、コンパレータ４がＲＦ信号を２値化信号に変換するためにＲＦ信号と比較するスライスレベルが、ビットクロックに対する２値化信号の位相差を表す位相差信号に基づいて調整される。このため、ＲＦ信号のＤＳＶが零でないときにも再生信号の品質が良好な光ディスク再生装置を提供することができる。
【００５８】
書き込み型の光ディスク媒体へ方法を記録する場合に記録の方法によっては記録された高周波帯域信号（３Ｔ）と低周波帯域信号（１４Ｔ）との再生信号のＤＣレベルにおいて段差が生じる、いわゆるアシンメトリのある信号が発生する。このため、従来のデューティフィードバック制御方式によるとスライスレベルは高周波帯域信号（３Ｔ）における最適スライスレベルと低周波帯域信号（１４Ｔ）における最適スライスレベルとの間で動作する。ＲＦ信号の平均時間長は４Ｔから５Ｔであるので、スライスレベルは４Ｔから５Ｔの信号の信号品質が最もよいレベルを中心にデータスライサの応答周波数で変動している。そのため出現確率の高い３Ｔ信号や、出現確率が低い１４Ｔ信号等の信号に対しては再生信号品質が劣化する。
【００５９】
本実施の形態における光ディスク装置１００によれば、このようなアシンメトリのある信号を再生する際に発生する再生信号品質の劣化に対しても有効である。スライスレベルは信号の出現確率による重み付けをされるため、信号出現確率が最も高い３Ｔ信号側の最適スライスレベル側にシフトすることによって、再生信号品質を向上させることが出来る。
【００６０】
また、本実施の形態に係る光ディスク再生装置１００は、前述したＤＳＶが零のＲＦ信号がコンパレータ４へ入力され、図３に示すスライスレベル調整回路１のチャージポンプ回路３２に設けられたチャージ電流源２０がコンデンサ１２に電荷をチャージするためのチャージ電流量とディスチャージ電流源２１がコンデンサ１２にチャージされた電荷をディスチャージするためのディスチャージ電流量との間にアンバランスがある場合にも適用することができる。このようなアンバランスは、環境温度のばらつき、個体間によるばらつきに起因して生じるため、通常、光ディスク２７を起動する時、あるいは製品を出荷する時にアンバランスを調整する必要がある。本発明の本実施の形態に係る光ディスク再生装置１００では、光ディスク２７を起動する時に図２に示すコンパレータ４によって生成された２値化信号と図４に示すＰＬＬ回路３によって生成されるビットクロックの位相とがロックするような状態であれば、通常ディスク起動時、あるいは製品出荷時に調整することなく、図３に示すスイッチＳＷ２７をオンにすることで自動的に調整することができる。
【００６１】
本実施の形態に記載のデータスライサ３１のスライスレベル調整回路１においては、電流バランス調整回路２４によるバランス調整量が任意に設定した規定値以上になった場合にバランス調整量を初期値に戻すことにより、何らかの外乱によってＰＬＬ回路３の位相ロックが一時的に外れた場合であってもバランス調整量が発散して再生信号品質が極端に低下することを防ぐことが出来る。
【００６２】
本実施の形態では、図３に示すようにＣＰＵ４１により電流バランス調整回路２０と電流量調整回路２８とにより２値化信号に対するビットクロックのジッタが良好になるように調整量に調整する方法を説明したが、図２に示すコンパレータ４に入力されるＲＦ信号の周波数の変動に対応するためのものであるので、電流量調整回路２８はなくてもよい。
【００６３】
また、本発明の実施の形態では、電流バランス調整回路２０はバランス調整量が任意に設定した規定値以上になった場合に調整値を初期値に戻す方法を説明したが、初期値に戻す機能がなくてもよい。また、初期値に戻すための信号として位相差検出回路２によって検出された位相差信号を用いたが、光ディスク再生装置１００において検出されるその他の信号によって初期値に戻してもよい。
【００６４】
図７は、実施の形態に係る光ディスク再生装置用半導体２００を説明するためのブロック図である。図１〜図６を参照して前述した光ディスク再生装置１００の構成要素と同一の構成要素には同一の参照符号を付している。従って、これらの構成要素の詳細な説明は省略する。光ディスク再生装置には、光ピックアップ６が設けられている。光ピックアップ６は、光ディスクに記録された情報を読み取るために光ディスクに照射され光ディスクによって反射された光ビームをＲＦ信号に変換する。
【００６５】
光ディスク再生装置は、波形等化用半導体２５０と光ディスク用半導体２００とを有している。波形等化用半導体２５０には、波形等化部５Ａを有している。波形等化回部５Ａは、光ピックアップ６によって変換されたＲＦ信号の振幅のゲインを調整し、ＲＦ信号の波形を等化して、波形等化用半導体２５０に設けられたデータスライサ部３１Ａへ出力する。
【００６６】
データスライサ部３１Ａは、コンパレータ部４Ａを有している。コンパレータ部４Ａは、波形等化部５Ａによって波形を等化されたＲＦ信号を所定のスライスレベルと比較して、２値化信号をＰＬＬ部３Ａへ出力する。ＰＬＬ部３Ａは、コンパレータ部４Ａから出力された２値化信号に基づいて２値化信号のエッジを検出し、ビットクロックを生成する。位相差検出部２Ａは、コンパレータ部４Ａから出力された２値化信号とＰＬＬ部３Ａによって生成されたビットクロックとに基づいて、ビットクロックに対する２値化信号の位相差を表す位相差信号を生成する。データスライサ部３１Ａに設けられたスライスレベル調整部１Ａは、位相差検出部２Ａによって検出された位相差信号に基づいて、コンパレータ部１Ａに供給されるスライスレベルを調整する。
【００６７】
光ディスク用半導体２００には、復調部３０Ａが設けられている。復調部３０Ａは、ＰＬＬ部３Ａによって検出された２値化信号のエッジに基づいて、光ディスクに記録された情報を復調し、再生する。
【００６８】
本発明の実施の形態における半導体の一例として波形等化用半導体２５０と光ディスク再生用半導体２００とを挙げたが、波形等化用半導体２５０と光ディスク再生用半導体２００とを１つのパッケージ内に備える構成の半導体でも同様の機能が実現できることは言うまでもない。
【００６９】
【発明の効果】
以上のように本発明によれば、ＲＦ信号のＤＳＶが零でない場合に、２値化信号とビットクロックとの間の位相差量が任意の設定値以内であっても、再生信号品質を劣化させることなく光ディスクに記録された情報を再生することの出来る光ディスク再生装置および光ディスク再生装置用半導体を提供することができる。
【００７０】
また本発明によれば、アシンメトリのあるデータの再生信号品質を向上させることの出来る光ディスク再生装置および光ディスク再生装置用半導体を提供することができる。
【図面の簡単な説明】
【図１】実施の形態に係る光ディスク再生装置のブロック図
【図２】実施の形態に係る光ディスク再生装置に設けられたデータスライサを説明するためのブロック図
【図３】実施の形態に係る光ディスク再生装置に設けられたスライスレベル調整回路を説明するためのブロック図
【図４】実施の形態に係る光ディスク再生装置に設けられたＰＬＬ回路を説明するためのブロック図
【図５】実施の形態に係る光ディスク再生装置に設けられたＰＬＬ回路において生成される各種パルス信号を説明するための波形図
【図６】実施の形態に係る光ディスク再生装置に設けられた位相差検出回路において生成される位相差検出信号を説明するための図
【図７】実施の形態に係る光ディスク再生装置用半導体を説明するためのブロック図
【図８】従来の光ディスク再生装置のブロック図
【図９】従来の光ディスク再生装置に設けられたデータスライサを説明するためのブロック図
【図１０】従来の光ディスク再生装置に設けられたチャージポンプ回路を説明するためのブロック図
【図１１】従来の他の光ディスク再生装置に設けられたデータスライサを説明するためのブロック図
【符号の説明】
１　スライスレベル調整回路
２　位相差検出回路
３　ＰＬＬ回路
４　コンパレータ
５　波形等化回路
６　光ピックアップ
７、８　ＲＦ信号
９　２値化信号
１０　スライスレベル
１１　ビットクロック
１２　位相差検出信号
１３　第１パルス
１４　第２パルス
１９　コンデンサ
２０　チャージ電流源
２１　ディスチャージ電流源
２４　電流バランス調整回路
２５　カウンタ
２６　レジスタ
２８　電流量調整回路
【図１】
2004030801.tif 000003
【図２】
2004030801.tif 000004
【図３】
2004030801.tif 000005
【図４】
2004030801.tif 000006
【図５】
2004030801.tif 000007
【図６】
2004030801.tif 000008
【図７】
2004030801.tif 000009
【図８】
2004030801.tif 000010
【図９】
2004030801.tif 000011
【図１０】
2004030801.tif 000012
【図１１】
2004030801.tif 000013